(57)【要約】【課題】衝撃・振動による破損防止に有利な扁平形電池を提供する。【解決手段】外装缶２の開口を封口缶２で封口した扁平形電池１であって、外装缶及２及び封口缶３は、底部１１、１５の外周に周壁１２、１６を立設させ、一端が開口した円筒状であり、環状部材８と、環状部材８の内部に装着した電極材５とを備えており、外装缶２の周壁１２の内周面に沿ってガスケット４を配置しており、環状部材８は、環状部材８の外周面から環状部材８の径方向に突出した突出部２１を設けており、突出部２１とガスケット２３とを係合させている。【選択図】図２
2010212207.tif 000002
【特許請求の範囲】
【請求項１】
外装缶の開口を封口缶で封口した扁平形電池であって、
前記外装缶及び封口缶は、底部の外周に周壁を立設させ、一端が開口した円筒状であり、
環状部材と、前記環状部材の内部に装着した電極材とを備えており、
前記外装缶の前記周壁の内周面に沿ってガスケットを配置しており、
前記環状部材は、前記環状部材の外周面から前記環状部材の径方向に突出した突出部を設けており、
前記突出部と前記ガスケットとを係合させていることを特徴とする扁平形電池。
【請求項２】
前記ガスケットと前記外装缶の底部とで、前記環状部材の前記突出部を挟み込んでいる請求項１に記載の扁平形電池。
【請求項３】
前記ガスケットの内壁に、前記扁平形電池の中心軸側に突出した突出部を設けており、前記環状部材の前記突出部と前記ガスケットの前記突出部とを係合させている請求項１に記載の扁平形電池。
【請求項４】
前記環状部材の前記突出部の端部が、前記ガスケットの内壁に当接している請求項３に記載の扁平形電池。
【請求項５】
前記外装缶の底部に凹部を形成しており、前記凹部で形成される段差部に、前記環状部材の外周面の端部が収容されている請求項１から４のいずれかに記載の扁平形電池。
【請求項６】
前記環状部材の前記突出部は、前記環状部材の外周面に沿って連続的に形成している請求項１から５のいずれかに記載の扁平形電池。
【請求項７】
前記環状部材の前記突出部は、前記環状部材の外周面に沿って断続的に形成している請求項１から５のいずれかに記載の扁平形電池。
【発明の詳細な説明】
【技術分野】
【０００１】
本発明は、コイン形電池やボタン形電池と呼ばれる扁平形電池に関する。
【背景技術】
【０００２】
コイン形電池やボタン形電池と呼ばれる扁平形電池は、情報機器や映像機器等のメモリバックアップ用を中心とした電源として利用されている。図１１に従来の扁平形電池の一例の斜視図を示している。扁平形電池１００は、正極缶である外装缶１０１と負極缶である封口缶１０２とを組み合わせたものである。
【０００３】
図１２は、図１１のＣＣ線における断面図である。扁平形電池１００内には、発電要素１０８を収納し、非水電解液を充填している。発電要素１０８は、正極材（電極材）１０５と、負極材（電極材）１０６と、不織布製のセパレータ１０７とを含んでいる。セパレータ１０７を介して正極材１０５と負極材１０６とが配置されている。正極材１０５に外面には、ステンレス鋼等で形成した正極リング１０９を装着している。
【０００４】
外装缶１０１の周壁１０４と、封口缶１０２の周壁の折り返し部１１０との間には、ガスケット１０３を介在させている。
【０００５】
外装缶１０１の周壁１０４の先端部１０４ａを、封口缶１０２の中心軸１０６側に湾曲させて、外装缶１０１を封口缶１０２にかしめ固定している。このことにより、外装缶１０１と封口缶１０２との間の隙間をガスケット１０３により封止し、かつ極性の異なる外装缶１０１と封口缶１０２とを絶縁している。
【０００６】
下記特許文献１−６に記載されている扁平形電池についても、基本的な構成は図１１の構成と同様である。
【先行技術文献】
【特許文献】
【０００７】
【特許文献１】ＷＯ０２／０１３２９０号公報
【特許文献２】特開２００３−１５１５１１号公報
【特許文献３】特開平７−５７７０６号公報
【特許文献４】特開２００３−６８２５４号公報
【特許文献５】特開平４−３４１７５６号公報
【特許文献６】特許第３３９９８０１号公報
【発明の概要】
【発明が解決しようとする課題】
【０００８】
しかしながら、前記のような扁平形電池は、例えば走行中の自動車の空気圧を監視するタイヤ空気圧監視システムに含まれる送信機に内蔵する電源として用いられる場合がある。この送信機は、計測した空気圧情報を送信するためのものであり、タイヤのバルブと一体になったものが一般的である。この場合、扁平形電池は、タイヤと一体に回転し、自動車の走行による衝撃・振動を受けることになる。最近では、扁平形電池の受ける衝撃・振動がさらに大きくなる仕様の要求もある。
【０００９】
この場合、図１２に示した扁平形電池１００の例では、正極材１０５の破損可能性が高くなり、正極材１０５の位置ずれにより、セパレータ１０７が切れて破損する可能性も高くなる。
【００１０】
本発明は、前記のような従来の問題を解決するものであり、衝撃・振動による内部部品の破損防止に有利な扁平形電池を提供することを目的とする。
【課題を解決するための手段】
【００１１】
前記目的を達成するために、本発明の扁平形電池は、外装缶の開口を封口缶で封口した扁平形電池であって、前記外装缶及び封口缶は、底部の外周に周壁を立設させ、一端が開口した円筒状であり、環状部材と、前記環状部材の内部に装着した電極材とを備えており、前記外装缶の前記周壁の内周面に沿ってガスケットを配置しており、前記環状部材は、前記環状部材の外周面から前記環状部材の径方向に突出した突出部を設けており、前記突出部と前記ガスケットとを係合させていることを特徴とする。
【発明の効果】
【００１２】
本発明によれば、衝撃・振動による内部部品の破損防止に有利になる。
【図面の簡単な説明】
【００１３】
【図１】本発明の一実施の形態に係る扁平形電池の斜視図。
【図２】図１のＡＡ線における断面図。
【図３】図２に示した扁平形電池１の分解図。
【図４】図３の正極材５をＢ方向から見た図であり、（ａ）図は突出部２１の第１の例を示した図、（ｂ）図は突出部２１の第２の例を示した図。
【図５】本発明の一実施の形態において、封口缶３にガスケット４を装着した状態を示す断面図。
【図６】本発明の一実施の形態において、封口缶３内に発電要素１０を収納した状態を示す断面図。
【図７】図６の組立体に、外装缶２を嵌合させた状態を示す断面図。
【図８】本発明の一実施の形態において、外装缶２のかしめ前の状態を示す断面図。
【図９】本発明の一実施の形態において、外装缶２のかしめが完了した状態を示す断面図。
【図１０】本発明の別の一実施の形態に係る扁平形電池の断面図。
【図１１】従来の扁平形電池の一例の斜視図。
【図１２】図１１のＣＣ線における断面図。
【発明を実施するための形態】
【００１４】
本発明の扁平形電池によれば、環状部材（正極リング）の外周面から環状部材の径方向に突出した突出部を設け、この突出部をガスケットに係合させている。このことにより、環状部材及びこれに装着した電極材について、少なくとも扁平形電池の径方向（横方向）及び中心軸方向（縦方向）のうち、いずれかの方向における動きが規制されることになる。したがって、本発明によれば、扁平形電池が衝撃・振動を受けた場合に、電極材の破損及びこれに隣接したセパレータの切断による破損防止に有利になる。
【００１５】
ここで、この構成によれば、溶接などの工程を伴わずに課題を解決できるため、生産性が良好である。
【００１６】
前記本発明の扁平形電池においては、前記ガスケットと前記外装缶の底部とで、前記環状部材の前記突出部を挟み込んでいることが好ましい。この構成によれば、環状部材及びこれに装着した電極材の動きの規制により有利になる。
【００１７】
また、前記ガスケットの内壁に、前記扁平形電池の中心軸側に突出した突出部を設けており、前記環状部材の前記突出部と前記ガスケットの前記突出部とを係合させていることが好ましい。
【００１８】
また、前記環状部材の前記突出部の端部が、前記ガスケットの内壁に当接していることが好ましい。この構成によれば、環状部材及びこれに装着した電極材の動きの規制により有利になる。
【００１９】
また、前記外装缶の底部に凹部を形成しており、前記凹部で形成される段差部に、前記環状部材の外周面の端部が収納されていることが好ましい。この構成によっても、環状部材及びこれに装着した電極材の動きの規制により有利になる。
【００２０】
また、前記環状部材の前記突出部は、前記環状部材の外周面に沿って連続的に形成していることが好ましい。
【００２１】
また、前記環状部材の前記突出部は、前記環状部材の外周面に沿って断続的に形成していることが好ましい。
【００２２】
以下、本発明の一実施の形態について、図面を参照しながら詳細に説明する。図１は、本発明の一実施の形態に係る扁平形電池の斜視図を示している。扁平形電池１は、正極缶である外装缶２と負極缶である封口缶３とを組み合わせたものである。扁平形電池１の一例として、外径寸法を２０ｍｍとし、厚さを５ｍｍとしたものが挙げられる。
【００２３】
図２は、図１のＡＡ線における断面図である。外装缶２は、底部１１の外周に周壁１２を立設させ、一端が開口した円筒状である。封口缶３は、底部１５の外周に周壁１６を立設させ、一端が開口した円筒状である。
【００２４】
外装缶２の周壁１２の内周部に沿って、ガスケット４を配置している。より具体的には、外装缶２の周壁１２の内周面と封口缶３の周壁１６の折返し部１７との間に、ガスケット４を介在させている。また、封口缶３の縁部１８と外装缶２の底部１１との間にもガスケット４が介在している。
【００２５】
ガスケット４の内壁２３に、扁平形電池１の中心軸９側に突出した突出部２６を設けている。突出部２６と正極リング８に設けた突出部２１とが係合している。このことの詳細は後に説明する。
【００２６】
外装缶２の周壁１２の先端部１２ａを、封口缶３の中心軸９側に湾曲させて、外装缶２を封口缶３にかしめ固定している。このことにより、外装缶２と封口缶３との間の隙間をガスケット４により封止し、かつ極性の異なる外装缶２と封口缶３とを絶縁している。
【００２７】
扁平形電池１内には、発電要素１０を収納し、非水電解液を充填している。発電要素１０は、正極活物質等を円盤形状に固めた正極材（電極材）５と、負極活物質の金属リチウム又はリチウム合金を円盤形状に形成した負極材（電極材）６と、不織布製のセパレータ７とを含んでいる。セパレータ７を介して正極材５と負極材６とが配置されている。正極材５に外面には、ステンレス鋼等で形成した環状部材である正極リング８を装着している。
【００２８】
外装缶２の底部１１には凹部１９を形成している。このことにより底部１１には、段差部２０を形成している。正極リング８の底面は凹部１９の位置に配置しており、正極リング８の外周面の端部が段差部２０に収容されている。
【００２９】
正極リング８は、正極リング８の外周面から正極リング８の径方向に突出した突出部２１を設けている。正極リング８の突出部２１とガスケット４の内壁２３に設けた突出部２６とが係合している。より具体的には、正極リング８の突出部２１は、ガスケット４の突出部２６より、外装缶２の底部１１側にある。
【００３０】
このことにより、正極リング８及びこれと一体の正極材５の動きが規制されることになる。すなわち、正極リング８及び正極材５は、扁平形電池１の中心軸９方向（縦方向）の動きが規制されることになる。また、図２に示したように、突出部２１の端部２１ａをガスケット４の内壁２３に当接させておけば、正極リング８及び正極材５は、扁平形電池１の径方向（横方向）の動きも規制されることになる。
【００３１】
また、前記のように、正極リング８の外周面の端部が段差部２０に収容されている。この構成によっても、扁平形電池１の径方向及び中心軸９方向の両方向の動きが規制されることになる。
【００３２】
したがって、本実施の形態によれば、扁平形電池１が衝撃・振動を受けた場合に、正極リング８と一体の正極材５が、外装缶２と別個に移動・振動することを防止でき、正極材５の破損を防止することができる。このことにより、セパレータ７が正極材５から受ける衝撃・振動も抑えられるので、セパレータ７が切れて破損することも防止することができる。
【００３３】
したがって、本実施の形態は、衝撃・振動を受け易い部位に用いる場合に特に有利になる。例えば、本実施の形態は、タイヤ空気圧監視システムに含まれる送信機に内蔵する電源として用いることができる。タイヤ空気圧監視システムは、走行中の自動車の空気圧を監視するものであり、これに含まれる送信機は、計測した空気圧情報を送信するためのものである。
【００３４】
送信機に扁平形電池を内蔵した場合、扁平形電池は、タイヤと一体に回転し、自動車の走行による衝撃・振動を受けることになる。特に装置の小型化の要請から送信機を、タイヤの内部に直接装着する仕様のものは、扁平形電池が受ける衝撃・振動も一層大きくなる。本実施の形態は、このような衝撃・振動を受ける場合に、正極材５やセパレータ７の破損を防止することができる。
【００３５】
図３は、図２に示した扁平形電池１の分解図を示している。前記の通り、外装缶２及び封口缶３は、一端が開口した円筒状である。これらは、例えばステンレス材をプレス成形して成形することができる。
【００３６】
ガスケット４は樹脂成形品であり、例えばポリフェニレンサルファイド（ＰＰＳ）を主成分とし、オレフィン系エラストマーを含有した樹脂組成物で成形する。ガスケット４はリング状部材であり、ベース部２２から内壁２３と外壁２４とが立ち上がっている。内壁２３には突出部２６を形成しており、内壁２３と外壁２４との間には、封口缶３を挿入する隙間２５を形成している。
【００３７】
正極材５は、正極リング８と一体に正極活物質を円盤状に成形したものである。正極活物質としては、例えば二酸化マンガンに、黒鉛、テトラフルオロエチレン−ヘキサフルオロプロピレン共重合体およびヒドロキシプロピルセルロースを混合して調整した正極合剤を成形したものが挙げられる。
【００３８】
セパレータ７は不織布で形成しており、例えばポリブチレンテレフタレート製の繊維を素材とする不織布である。セパレータ７には非水電解液が含浸する。非水電解液としては、例えば、プロピレンカーボナイトと、１，２−ジメトキシエタンとを混合した溶媒にＬｉＣｌＯ4を溶解した溶液を用いることができる。セパレータ７の厚さは、例えば０．３−０．４ｍｍ程度である。
【００３９】
図４は、図３に示した正極リング８と一体になった正極材５を矢印Ｂ方向から見た図である。図４（ａ）は、突出部２１の第１の例を示しており、図４（ｂ）は、突出部２１の第２の例を示している。図４（ａ）では、突出部２１は、正極リング８の外周面に沿って、連続的に形成している。図４（ｂ）では、突出部２１は、正極リング８の外周面に沿って、断続的に形成している。
【００４０】
突出部２１は、図２に示したように、ガスケット４の突出部２６と係合できる程度に、突出した部分があればよく、図４（ａ）、（ｂ）のいずれでもよく、図４（ａ）、（ｂ）の形状を適宜変更したものであってもよい。このことは、後に説明する図１０の構成においても同様である。
【００４１】
以上、扁平形電池１の構成について説明したが、以下製造工程を説明しながらさらに具体的に説明する。図３に示した構成部品を組み立てる際には、図３の上下を逆にした状態で組み立てを進める。図５は、封口缶３にガスケット４を装着した状態を示す断面図である。ガスケット４の隙間２５に、封口缶３の二重壁部分を挿入して、封口缶３にガスケット４を装着している。
【００４２】
図６は、封口缶３内に発電要素１０を収納した状態を示している。負極材６は封口缶３に導電性接着剤等で固定する。負極材６に、セパレータ７及び正極材５を重ねる。その後、封口缶３内に非水電解液を注入する。
【００４３】
図７は、図５の組立体に、外装缶２を嵌合させた状態を示す断面図である。この状態では、ガスケット４の外周面と外装缶２の周壁１２の内周面とが嵌合している。図７に示した状態からかしめ工程へ移行する。かしめ工程では、外装缶２の周壁１２の先端部１２ａを、封口缶３の中心軸９側に曲げ加工する。
【００４４】
図８は、かしめ前の状態を示す断面図である。ノックアウトピン３０とパンチ３１との間に、図７に示した扁平形電池１を挟み込んでいる。外装缶２の周壁１２を囲むように、周壁１２の外周面に封口金型３２の金型面が嵌合している。この状態でノックアウトピン３０及びパンチ３１とを下降させる。このことにより、外装缶２の周壁１２の先端部１２ａは、封口金型３２の曲面に沿って、封口缶３の中心軸９側に曲げ加工されることになる。
【００４５】
図９は、ノックアウトピン３０及びパンチ３１の下降が完了した状態を示す断面図である。この状態では、外装缶２は封口缶３にかしめ固定されている。図９の状態から扁平形電池１を取り出せば、図２に示した扁平形電池１が得られることになる。
【００４６】
図１０は、本実施の形態の別の例に係る扁平形電池４０の断面図を示している。本図は、図１のＡＡ線における断面図に相当する。図２に示した扁平形電池１と同一構成の部分には、同一番号を付し説明は省略する。図１０に示した扁平形電池４０は、ガスケット４１及び正極リング４２の断面形状が図２に示した扁平形電池１と異なっている。このため、正極リング４２の突出部４３とガスケット４１との係合状態が、図２の構成と異なっている。より具体的には、図１０の構成は、ガスケット４１と外装缶２の底部１１とで、正極リング４２の突出部４３を挟み込んでいる。このことにより、正極リング４２及び正極材５は、扁平形電池４０の中心軸９方向（縦方向）及び径方向（横方向）の動きが規制されることになる。したがって、図１０の構成によっても、扁平形電池４０が衝撃・振動を受けた場合に、正極材５及びセパレータ７の破損を防止することができる。
【００４７】
なお、図２、図１０の構成においては、図２、図１０に示したように、少なくとも突出部２１、４３がそれぞれガスケット４、４１に係合していれば、正極リング８、４２及びこれと一体の正極材５の動きを規制できることができる。
【００４８】
また、本実施の形態に係る扁平電池を、タイヤ空気圧監視システムに含まれる送信機に内蔵する電源として用いる例を説明したが、これに限るものではない。本実施の形態は、扁平電池の通常の用途に用いることができ、特に衝撃・振動を受け易い部位に用いる場合に適している。
【００４９】
また、図１−３を用いて、扁平電池１の寸法や構成部品の材料について説明したが、これらは一例であり、他の寸法のものでもよく、他の材料を用いたものであってもよい。
【産業上の利用可能性】
【００５０】
以上のように、本発明によれば、衝撃・振動による破損防止に有利になるので、本発明の扁平形電池は、衝撃・振動を受け易い部位に用いる場合に特に有用である。
【符号の説明】
【００５１】
１，４０  扁平形電池
２  外装缶
３  封口缶
４，４１  ガスケット
５  正極材（電極材）
７  セパレータ
８，４２  正極リング
１１  外装缶の底部
１２  外装缶の周壁
１５  封口缶の底部
１６  封口缶の周壁
１９  凹部
２０  段差部
２１，４３  正極リングの突出部
２３  ガスケットの内壁
２６  ガスケットの突出部
【図１】
2010212207.tif 000003
【図２】
2010212207.tif 000004
【図３】
2010212207.tif 000005
【図４】
2010212207.tif 000006
【図５】
2010212207.tif 000007
【図６】
2010212207.tif 000008
【図７】
2010212207.tif 000009
【図８】
2010212207.tif 000010
【図９】
2010212207.tif 000011
【図１０】
2010212207.tif 000012
【図１１】
2010212207.tif 000013
【図１２】
2010212207.tif 000014